(57)【要約】【課題】  横クロストークの発生を簡易な構成によって抑制する。【解決手段】  電気光学装置は、複数の走査線と複数のデータ線との各交差に対応して配置された画素を有する。走査線駆動回路は、複数の走査線の各々を順次に選択して選択電圧を印加する。データ線駆動回路は、奇数列目の各データ線に対し、走査線に対する選択電圧の印加期間のうち、その印加期間の始点を含む期間と当該印加期間の終点を含む期間とからなる期間であって画素の階調に応じた時間長を有する期間にて点灯電圧を、その残余の期間にて非点灯電圧をそれぞれ印加する両縁駆動を行なうとともに、偶数列目の各データ線に対し、走査線に対する選択電圧の印加期間のうち、その印加期間の始点を含む期間と当該印加期間の終点を含む期間とを除いた期間であって画素の階調に応じた時間長を有する期間にて点灯電圧を、その残余の期間にて非点灯電圧をそれぞれ印加する中寄駆動を行なう。【選択図】      図６
2006098813.tif 000002
【特許請求の範囲】
【請求項１】
複数の走査線と複数のデータ線との各交差に対応して画素が配置された電気光学装置を駆動する回路において、
前記複数の走査線の各々を順次に選択して選択電圧を印加する走査線駆動回路と、
前記複数のデータ線のうち第１群に属するデータ線の各々に対し、前記走査線に対する選択電圧の印加期間のうち、その印加期間の始点を含む期間と当該印加期間の終点を含む期間とからなる期間であって当該データ線と前記走査線駆動回路が選択している走査線との交差に対応する画素の階調に応じた時間長を有する期間にて点灯電圧を、その残余の期間にて非点灯電圧をそれぞれ印加する両縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路と
を具備する電気光学装置の駆動回路。
【請求項２】
複数の走査線と複数のデータ線との各交差に対応して画素が配置された電気光学装置を駆動する回路において、
前記複数の走査線の各々を順次に選択して選択電圧を印加する走査線駆動回路と、
前記複数のデータ線のうち第１群に属するデータ線の各々に対し、前記走査線に対する選択電圧の印加期間のうち、その印加期間の始点から、当該データ線と前記走査線駆動回路が選択している走査線との交差に対応する画素の階調に応じた時間長が経過するまでの期間にて点灯電圧を、その残余の期間にて非点灯電圧をそれぞれ印加する前縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路と
を具備する電気光学装置の駆動回路。
【請求項３】
複数の走査線と複数のデータ線との各交差に対応して画素が配置された電気光学装置を駆動する回路において、
前記複数の走査線の各々を順次に選択して選択電圧を印加する走査線駆動回路と、
前記複数のデータ線のうち第１群に属するデータ線の各々に対し、前記走査線に対する選択電圧の印加期間のうち、その印加期間の終点に対し、当該データ線と前記走査線駆動回路が選択している走査線との交差に対応する画素の階調に応じた時間長だけ手前の時点から当該終点までの期間にて点灯電圧を、その残余の期間にて非点灯電圧をそれぞれ印加する後縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路と
を具備する電気光学装置の駆動回路。
【請求項４】
複数の走査線と複数のデータ線との各交差に対応して画素が配置された電気光学装置を駆動する回路において、
前記複数の走査線の各々を順次に選択して選択電圧を印加する走査線駆動回路と、
前記複数のデータ線のうち第１群に属するデータ線の各々に対し、前記走査線に対する選択電圧の印加期間のうち、その印加期間の始点から、当該データ線と前記走査線駆動回路が選択している走査線との交差に対応する画素の階調に応じた時間長が経過するまでの期間にて点灯電圧を、その残余の期間にて非点灯電圧をそれぞれ印加する前縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とからなる期間であって当該データ線と前記走査線駆動回路が選択している走査線との交差に対応する画素の階調に応じた時間長を有する期間にて点灯電圧を、その残余の期間にて非点灯電圧をそれぞれ印加する両縁駆動を行なうデータ線駆動回路と
を具備する電気光学装置の駆動回路。
【請求項５】
複数の走査線と複数のデータ線との各交差に対応して画素が配置された電気光学装置を駆動する回路において、
前記複数の走査線の各々を順次に選択して選択電圧を印加する走査線駆動回路と、
前記複数のデータ線のうち第１群に属するデータ線の各々に対し、前記走査線に対する選択電圧の印加期間のうち、その印加期間の終点に対し、当該データ線と前記走査線駆動回路が選択している走査線との交差に対応する画素の階調に応じた時間長だけ手前の時点から当該終点までの期間にて点灯電圧を、その残余の期間にて非点灯電圧をそれぞれ印加する後縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とからなる期間であって当該データ線と前記走査線駆動回路が選択している走査線との交差に対応する画素の階調に応じた時間長を有する期間にて点灯電圧を、その残余の期間にて非点灯電圧をそれぞれ印加する両縁駆動を行なうデータ線駆動回路と
を具備する電気光学装置の駆動回路。
【請求項６】
前記データ線駆動回路は、一の走査線が選択されたときの各データ線の駆動方式と当該一の走査線に隣接する他の走査線が選択されたときの各データ線の駆動方式とを異ならせる
請求項１から請求項５の何れかに記載の電気光学装置の駆動回路。
【請求項７】
前記データ線駆動回路は、一の垂直走査期間における各データ線の駆動方式と他の垂直走査期間における各データ線の駆動方式とを異ならせる
請求項１から請求項６の何れかに記載の電気光学装置の駆動回路。
【請求項８】
複数の走査線と複数のデータ線との各交差に対応して配置された複数の画素と、
請求項１から請求項７の何れかに記載の駆動回路と
を具備する電気光学装置。
【請求項９】
請求項８に記載の電気光学装置を具備する電子機器。
【請求項１０】
複数の走査線と複数のデータ線との各交差に対応して画素が配置された電気光学装置を駆動する方法において、
前記複数の走査線の各々を順次に選択して選択電圧を印加する一方、
前記複数のデータ線のうち第１群に属するデータ線の各々に対し、前記走査線に対する選択電圧の印加期間のうち、その印加期間の始点を含む期間と当該印加期間の終点を含む期間とからなる期間であって当該データ線と前記選択された走査線との交差に対応する画素の階調に応じた時間長を有する期間にて点灯電圧を、その残余の期間にて非点灯電圧をそれぞれ印加する両縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記選択された走査線との交差に対応する画素の階調に応じた時間長を有する期間にて点灯電圧を、その残余の期間にて非点灯電圧をそれぞれ印加する中寄駆動を行なう
電気光学装置の駆動方法。
【請求項１１】
複数の走査線と複数のデータ線との各交差に対応して画素が配置された電気光学装置を駆動する方法において、
前記複数の走査線の各々を順次に選択して選択電圧を印加する一方、
前記複数のデータ線のうち第１群に属するデータ線の各々に対し、前記走査線に対する選択電圧の印加期間のうち、その印加期間の始点から、当該データ線と前記選択された走査線との交差に対応する画素の階調に応じた時間長が経過するまでの期間にて点灯電圧を、その残余の期間にて非点灯電圧をそれぞれ印加する前縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記選択された走査線との交差に対応する画素の階調に応じた時間長を有する期間にて点灯電圧を、その残余の期間にて非点灯電圧をそれぞれ印加する中寄駆動を行なう
電気光学装置の駆動方法。
【請求項１２】
複数の走査線と複数のデータ線との各交差に対応して画素が配置された電気光学装置を駆動する方法において、
前記複数の走査線の各々を順次に選択して選択電圧を印加する一方、
前記複数のデータ線のうち第１群に属するデータ線の各々に対し、前記走査線に対する選択電圧の印加期間のうち、その印加期間の終点に対し、当該データ線と前記選択された走査線との交差に対応する画素の階調に応じた時間長だけ手前の時点から当該終点までの期間にて点灯電圧を、その残余の期間にて非点灯電圧をそれぞれ印加する後縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とを除いた期間であって当該データ線と前記選択された走査線との交差に対応する画素の階調に応じた時間長を有する期間にて点灯電圧を、その残余の期間にて非点灯電圧をそれぞれ印加する中寄駆動を行なう
電気光学装置の駆動方法。
【請求項１３】
複数の走査線と複数のデータ線との各交差に対応して画素が配置された電気光学装置を駆動する方法において、
前記複数の走査線の各々を順次に選択して選択電圧を印加する一方、
前記複数のデータ線のうち第１群に属するデータ線の各々に対し、前記走査線に対する選択電圧の印加期間のうち、その印加期間の始点から、当該データ線と前記選択された走査線との交差に対応する画素の階調に応じた時間長が経過するまでの期間にて点灯電圧を、その残余の期間にて非点灯電圧をそれぞれ印加する前縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とからなる期間であって当該データ線と前記選択された走査線との交差に対応する画素の階調に応じた時間長を有する期間にて点灯電圧を、その残余の期間にて非点灯電圧をそれぞれ印加する両縁駆動を行なう
電気光学装置の駆動方法。
【請求項１４】
複数の走査線と複数のデータ線との各交差に対応して画素が配置された電気光学装置を駆動する方法において、
前記複数の走査線の各々を順次に選択して選択電圧を印加する一方、
前記複数のデータ線のうち第１群に属するデータ線の各々に対し、前記走査線に対する選択電圧の印加期間のうち、その印加期間の終点に対し、当該データ線と前記選択された走査線との交差に対応する画素の階調に応じた時間長だけ手前の時点から当該終点までの期間にて点灯電圧を、その残余の期間にて非点灯電圧をそれぞれ印加する後縁駆動を行なうとともに、前記第１群とは異なる第２群に属するデータ線の各々に対し、前記走査線に対する選択電圧の印加期間のうち、その印加期間の始点を含む期間と当該印加期間の終点を含む期間とからなる期間であって当該データ線と前記選択された走査線との交差に対応する画素の階調に応じた時間長を有する期間にて点灯電圧を、その残余の期間にて非点灯電圧をそれぞれ印加する両縁駆動を行なう
電気光学装置の駆動方法。
【発明の詳細な説明】
【技術分野】
【０００１】
本発明は、液晶などの電気光学物質を利用して画像を表示する技術に関する。
【背景技術】
【０００２】
液晶装置などの電気光学装置では、表示品位の差が横（行）方向に発生する横クロストークが問題となる。横クロストークの原因は、データ線（セグメント電極）の電圧の切り替わりに伴なって、画素に印加される電圧実効値が変動するためであると考えられている。この横クロストークの発生を抑えるための技術として、例えば、電圧が切り替わるデータ線の数に応じて走査信号のパルス幅を変化させて画素への印加電圧を補正する技術（特許文献１参照）や、駆動信号の歪み（スパイク）を検出してデータ信号に補正信号を加算する技術（特許文献２参照）が提案されている。
【特許文献１】特開平１１−５２９２２号公報（図１、図２および段落００２７）
【特許文献２】特開２０００−５６２９２号公報（図１および段落００１７）
【発明の開示】
【発明が解決しようとする課題】
【０００３】
しかしながら、特許文献１および２のいずれに記載された技術においても補正信号を生成するための回路が別途に必要となるため、構成の複雑化が避けられないという問題がある。このような構成の複雑化は消費電力の増大にも直結し、低消費電力化の要求に逆行する結果となる。本発明は、このような事情に鑑みてなされたものであり、その目的は、横クロストークの発生を簡易な構成によって抑制することにある。
【課題を解決するための手段】
【０００４】
この課題を解決するために、本発明に係る駆動回路の第１の特徴は、複数の走査線と複数のデータ線との各交差に対応して画素が配置された電気光学装置を駆動する回路において、複数の走査線の各々を順次に選択して選択電圧を印加する走査線駆動回路と、複数のデータ線のうち第１群に属するデータ線の各々に対し、走査線に対する選択電圧の印加期間のうち、その印加期間の始点を含む期間と当該印加期間の終点を含む期間とからなる期間であって当該データ線と走査線駆動回路が選択している走査線との交差に対応する画素の階調に応じた時間長を有する期間にて点灯電圧を、その残余の期間にて非点灯電圧をそれぞれ印加する両縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路とを設けたことにある。この態様の具体例は第１実施形態として後述される。
この構成によれば、第１群の各データ線が両縁駆動法によって駆動されるとともに第２群の各データ線が中寄駆動法によって駆動される。この構成のもとでは、たとえ行方向に列をなす複数の画素の階調が同一であるとしても、両縁駆動法に基づいて各データ線への印加電圧が切り替えられるタイミングと中寄駆動法に基づいて各データ線への印加電圧が切り替えられるタイミングとは相違する。つまり、データ線の電圧が切り替えられるタイミングは第１群の各データ線と第２群の各データ線とで時間的に分散され、しかも、複数のデータ線への印加電圧が一斉に切り替えられる構成と比較して各スパイクは小さくなる。したがって、本発明によれば、クロストーク補正のための補正信号を生成する別個の回路を要することなく、データ線の電圧の切り替わりに起因した横クロストークの発生が抑えられる。
【０００５】
本発明に係る駆動回路の第２の特徴は、複数の走査線と複数のデータ線との各交差に対応して画素が配置された電気光学装置を駆動する回路において、複数の走査線の各々を順次に選択して選択電圧を印加する走査線駆動回路と、複数のデータ線のうち第１群に属するデータ線の各々に対し、走査線に対する選択電圧の印加期間のうち、その印加期間の始点から、当該データ線と走査線駆動回路が選択している走査線との交差に対応する画素の階調に応じた時間長が経過するまでの期間にて点灯電圧を、その残余の期間にて非点灯電圧をそれぞれ印加する前縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路とを設けたことにある。この態様の具体例は第２実施形態として後述される。
【０００６】
本発明に係る駆動回路の第３の特徴は、複数の走査線と複数のデータ線との各交差に対応して画素が配置された電気光学装置を駆動する回路において、複数の走査線の各々を順次に選択して選択電圧を印加する走査線駆動回路と、複数のデータ線のうち第１群に属するデータ線の各々に対し、走査線に対する選択電圧の印加期間のうち、その印加期間の終点に対し、当該データ線と走査線駆動回路が選択している走査線との交差に対応する画素の階調に応じた時間長だけ手前の時点から当該終点までの期間にて点灯電圧を、その残余の期間にて非点灯電圧をそれぞれ印加する後縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と走査線駆動回路が選択している走査線との交差に対応する画素の階調に応じた時間長を有する期間にて点灯電圧を、その残余の期間にて非点灯電圧をそれぞれ印加する中寄駆動を行なうデータ線駆動回路とを設けたことにある。この態様の具体例は第３実施形態として後述される。
【０００７】
本発明に係る駆動回路の第４の特徴は、複数の走査線と複数のデータ線との各交差に対応して画素が配置された電気光学装置を駆動する回路において、複数の走査線の各々を順次に選択して選択電圧を印加する走査線駆動回路と、複数のデータ線のうち第１群に属するデータ線の各々に対し、走査線に対する選択電圧の印加期間のうち、その印加期間の始点から、当該データ線と走査線駆動回路が選択している走査線との交差に対応する画素の階調に応じた時間長が経過するまでの期間にて点灯電圧を、その残余の期間にて非点灯電圧をそれぞれ印加する前縁駆動を行なうとともに、第１群とは異なる第２群に属するデータ線の各々に対し、走査線に対する選択電圧の印加期間のうち、その印加期間の始点を含む期間と当該印加期間の終点を含む期間とからなる期間であって当該データ線と走査線駆動回路が選択している走査線との交差に対応する画素の階調に応じた時間長を有する期間にて点灯電圧を、その残余の期間にて非点灯電圧をそれぞれ印加する両縁駆動を行なうデータ線駆動回路とを設けたことにある。この態様の具体例は第４実施形態として後述される。
【０００８】
本発明に係る駆動回路の第５の特徴は、複数の走査線と複数のデータ線との各交差に対応して画素が配置された電気光学装置を駆動する回路において、複数の走査線の各々を順次に選択して選択電圧を印加する走査線駆動回路と、複数のデータ線のうち第１群に属するデータ線の各々に対し、走査線に対する選択電圧の印加期間のうち、その印加期間の終点に対し、当該データ線と走査線駆動回路が選択している走査線との交差に対応する画素の階調に応じた時間長だけ手前の時点から当該終点までの期間にて点灯電圧を、その残余の期間にて非点灯電圧をそれぞれ印加する後縁駆動を行なうとともに、第１群とは異なる第２群に属するデータ線の各々に対し、走査線に対する選択電圧の印加期間のうち、その印加期間の始点を含む期間と当該印加期間の終点を含む期間とからなる期間であって当該データ線と走査線駆動回路が選択している走査線との交差に対応する画素の階調に応じた時間長を有する期間にて点灯電圧を、その残余の期間にて非点灯電圧をそれぞれ印加する両縁駆動を行なうデータ線駆動回路とを設けたことにある。この態様の具体例は第５実施形態として後述される。
【０００９】
第２ないし第５の特徴に係る駆動回路においても、第１群の各データ線に適用される駆動方式と第２群の各データ線に適用される駆動方式とが相違するから、第１の特徴に係る駆動回路と同様の理由により、補正信号を生成する特段の回路を要することなく横クロストークが抑制される。なお、本発明に係る駆動回路において複数のデータ線を第１群と第２群とに区分する方法は任意である。例えば、奇数列目のデータ線を第１群に区分するとともに偶数列目のデータ線を第２群に区分してもよいし、互いに隣接する特定数のデータ線を単位として複数の群に区分し、このうち一部の群を第１群として他の群を第２群としてもよい。また、本発明においては各データ線の駆動方式として２種類の駆動方式が特定されているが、３種類以上の駆動方式を採用してもよい。例えば、複数のデータ線を第１群ないし第３群に区分し、第１群の各データ線には両縁駆動を実施し、第２群の各データ線には中寄駆動を実施し、第３群の各データ線には前縁駆動を実施するようにしてもよい。この構成は、ひとつの群に両縁駆動が適用されて他の群に中寄駆動が適用されるという点で第１の特徴に係る発明の範囲に含まれ、ひとつの群に前縁駆動が適用されて他の群に中寄駆動が適用されるという点で第２の特徴に係る発明の範囲に含まれ、ひとつの群に前縁駆動が適用されて他の群に両縁駆動が適用されるという点で第４の特徴に係る発明の範囲に含まれる。つまり、本発明の各特徴において２種類の駆動方式のみが特定されているとは言っても、他の駆動方式を追加した構成を排除する趣旨ではない。また、このことからも明らかなように、本発明において第１群および第２群のみが特定されているとは言っても、総てのデータ線が第１群および第２群の何れかに区分される構成に限定する趣旨ではない。つまり、複数のデータ線が３個以上の群に区分されている構成においては、そのなかから選択されたひとつの群が本発明にいう「第１群」に相当し、他の群が「第２群」に相当することになる。
【００１０】
第１ないし第５の特徴に係る駆動回路の望ましい態様において、データ線駆動回路は、一の走査線が選択されたときの各データ線の駆動方式と当該一の走査線に隣接する他の走査線が選択されたときの各データ線の駆動方式とを異ならせる。すなわち、データ線駆動回路は、各データ線に対する駆動方式を水平走査期間ごとに切り替える。さらに望ましい態様において、データ線駆動回路は、一の垂直走査期間における各データ線の駆動方式と他の垂直走査期間における各データ線の駆動方式とを異ならせる。すなわち、データ線駆動回路は、各データ線に対する駆動方式を１または複数の垂直走査期間ごとに切り替える。この態様によれば、ある駆動方式のもとでデータ線に印加される電圧と他の駆動方式のもとでデータ線に印加される電圧とが相違する場合であっても、各データ線に対する駆動方式が切り替えられることにより、その相違に起因した表示品位の低下が抑制される。
【００１１】
本発明は、第１ないし第５の特徴に係る駆動回路を備えた電気光学装置としても特定される。この電気光学装置は、携帯電話機を初めとする各種の電子機器の表示装置として採用される。また、本発明は、以下に示されるように電気光学装置を駆動するための方法としても特定される。
【００１２】
まず、本発明に係る駆動方法の第１の特徴は、両縁駆動および中寄駆動とを組み合わせて各データ線を駆動することにある。すなわち、複数の走査線の各々を順次に選択して選択電圧を印加する一方、複数のデータ線のうち第１群に属するデータ線の各々に対し、走査線に対する選択電圧の印加期間のうち、その印加期間の始点を含む期間と当該印加期間の終点を含む期間とからなる期間であって当該データ線と選択された走査線との交差に対応する画素の階調に応じた時間長を有する期間にて点灯電圧を、その残余の期間にて非点灯電圧をそれぞれ印加する両縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と選択された走査線との交差に対応する画素の階調に応じた時間長を有する期間にて点灯電圧を、その残余の期間にて非点灯電圧をそれぞれ印加する中寄駆動を行なう。
【００１３】
本発明に係る駆動方法の第２の特徴は、前縁駆動と中寄駆動とを組み合わせて各データ線を駆動することにある。すなわち、複数の走査線の各々を順次に選択して選択電圧を印加する一方、複数のデータ線のうち第１群に属するデータ線の各々に対し、走査線に対する選択電圧の印加期間のうち、その印加期間の始点から、当該データ線と選択された走査線との交差に対応する画素の階調に応じた時間長が経過するまでの期間にて点灯電圧を、その残余の期間にて非点灯電圧をそれぞれ印加する前縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と選択された走査線との交差に対応する画素の階調に応じた時間長を有する期間にて点灯電圧を、その残余の期間にて非点灯電圧をそれぞれ印加する中寄駆動を行なう。
【００１４】
本発明に係る駆動方法の第３の特徴は、後縁駆動と中寄駆動とを組み合わせて各データ線を駆動することにある。すなわち、複数の走査線の各々を順次に選択して選択電圧を印加する一方、複数のデータ線のうち第１群に属するデータ線の各々に対し、走査線に対する選択電圧の印加期間のうち、その印加期間の終点に対し、当該データ線と選択された走査線との交差に対応する画素の階調に応じた時間長だけ手前の時点から当該終点までの期間にて点灯電圧を、その残余の期間にて非点灯電圧をそれぞれ印加する後縁駆動を行なうとともに、第１群とは異なる第２群に属するデータ線の各々に対し、走査線に対する選択電圧の印加期間のうち、その印加期間の始点を含む期間と当該印加期間の終点を含む期間とを除いた期間であって当該データ線と選択された走査線との交差に対応する画素の階調に応じた時間長を有する期間にて点灯電圧を、その残余の期間にて非点灯電圧をそれぞれ印加する中寄駆動を行なう。
【００１５】
本発明に係る駆動方法の第４の特徴は、前縁駆動と両縁駆動とを組み合わせて各データ線を駆動することにある。すなわち、複数の走査線の各々を順次に選択して選択電圧を印加する一方、複数のデータ線のうち第１群に属するデータ線の各々に対し、走査線に対する選択電圧の印加期間のうち、その印加期間の始点から、当該データ線と選択された走査線との交差に対応する画素の階調に応じた時間長が経過するまでの期間にて点灯電圧を、その残余の期間にて非点灯電圧をそれぞれ印加する前縁駆動を行なうとともに、第１群とは異なる第２群に属するデータ線の各々に対し、走査線に対する選択電圧の印加期間のうち、その印加期間の始点を含む期間と当該印加期間の終点を含む期間とからなる期間であって当該データ線と選択された走査線との交差に対応する画素の階調に応じた時間長を有する期間にて点灯電圧を、その残余の期間にて非点灯電圧をそれぞれ印加する両縁駆動を行なう。
【００１６】
本発明に係る駆動方法の第５の特徴は、後縁駆動と両縁駆動とを組み合わせて各データ線を駆動することにある。すなわち、複数の走査線の各々を順次に選択して選択電圧を印加する一方、複数のデータ線のうち第１群に属するデータ線の各々に対し、走査線に対する選択電圧の印加期間のうち、その印加期間の終点に対し、当該データ線と選択された走査線との交差に対応する画素の階調に応じた時間長だけ手前の時点から当該終点までの期間にて点灯電圧を、その残余の期間にて非点灯電圧をそれぞれ印加する後縁駆動を行なうとともに、第１群とは異なる第２群に属するデータ線の各々に対し、走査線に対する選択電圧の印加期間のうち、その印加期間の始点を含む期間と当該印加期間の終点を含む期間とからなる期間であって当該データ線と選択された走査線との交差に対応する画素の階調に応じた時間長を有する期間にて点灯電圧を、その残余の期間にて非点灯電圧をそれぞれ印加する両縁駆動を行なう。
【発明を実施するための最良の形態】
【００１７】
＜Ａ：第１実施形態＞
図１は、本発明の第１実施形態に係る電気光学装置の構成を示すブロック図である。同図に示されるように、電気光学装置１０は、電気光学パネル１００と制御回路４００と電圧生成回路５００とを有する。このうち電気光学パネル１００は、Ｙ方向（列方向）に延在する合計２４０本のデータ線２１２が形成された素子基板と、Ｘ方向（行方向）に延在する合計３２０本の走査線３１２が形成された対向基板とが互いに対向するように貼り合わされ、これらの基板の間隙に液晶が封止された構成となっている。走査線３１２は、ＩＴＯ（Indium Tin Oxide）などの光透過性を有する導電性材料からなる帯状の電極である。データ線２１２と走査線３１２とが交差する各地点には画素１１６が形成される。したがって、これらの画素１１６は、Ｘ方向およびＹ方向にわたって縦３２０行×横２４０列のマトリクス状に配列する。もっとも、走査線３１２やデータ線２１２の総本数はこれに限定されない。
【００１８】
各画素１１６は、互いに直列に接続されたＴＦＤ（Thin Film Diode：薄膜ダイオード）素子２２０と液晶容量１１８とを有する。このうち液晶容量１１８は、走査線３１２と画素電極と両者の間隙に介在する液晶とからなる素子である。各画素電極は、素子基板の表面に形成された略矩形状の電極であり、各々が走査線３１２と対向するように各データ線２１２の間隙に配列される。一方、ＴＦＤ素子２２０は、液晶容量１１８とは反対側の端部がデータ線２１２に接続された二端子型のスイッチング素子である。このＴＦＤ素子２２０は、導電体／絶縁体／導電体の積層構造を有し、電流−電圧特性が正負の双方向にわたって非線形となるダイオードスイッチング特性を有する。すなわち、ＴＦＤ素子２２０は、両端に印加された電圧が閾値を越えるとオン状態（導通状態）となり、この電圧が閾値を下回ればオフ状態（非導通状態）となる。
【００１９】
電気光学パネル１００には、走査線駆動回路３５０とデータ線駆動回路２５０とが実装されている。このうち走査線駆動回路３５０は、水平走査期間ごとに各走査線３１２を順次に選択して選択電圧を印加するとともに他の走査線３１２に非選択電圧を印加することにより各走査線３１２に走査信号Ｙ1、Ｙ2、……、Ｙ320を供給する。一方、データ線駆動回路２５０は、各画素１１６が表示すべき階調に応じたデータ信号Ｘ1、Ｘ2、……、Ｘ240を各データ線２１２に出力する
【００２０】
図１に示される制御回路４００は、階調データや各種の制御信号を電気光学パネル１００に供給する。階調データは、各画素の階調（輝度）を８段階にて指定する合計３ビットのデジタルデータである。本実施形態においては、階調データ［０００］によって最も明るい白色の階調が指定される一方、階調データの数値が増加するにつれて暗い階調が指定され、階調データ［１１１］によって最も暗い黒色の階調が指示されるものとする。なお、本実施形態における電気光学パネル１００は、液晶に対して電圧が印加されていないときに白色が表示されるノーマリホワイトモードの表示パネルである。
【００２１】
一方、電圧生成回路５００は、電気光学パネル１００にて用いられる種々の電圧を電池などの電源（図示略）から生成する。さらに詳述すると、電圧生成回路５００は、電圧Ｖpおよび電圧Ｖnと電圧Ｖdおよび電圧Ｇnd（電源の低位側電圧）とを生成する。このうち電圧Ｖpおよび電圧Ｖnは各走査線３１２に供給される走査信号Ｙi（ｉは１≦ｉ≦３２０を満たす整数）の選択電圧として採択され、電圧Ｖdおよび電圧Ｇndは各走査線３１２に印加される非選択電圧として採択される。また、電圧Ｖdおよび電圧Ｇndはデータ信号Ｘj（ｊは１≦ｊ≦２４０を満たす整数）の電圧としても兼用される。
【００２２】
非選択電圧となる電圧Ｖdおよび電圧Ｇndは、各々が走査線３１２に印加されたときに、データ線２１２に印加される電圧に拘わらずＴＦＤ素子２２０がオフ状態となるレベルに設定されている。一方、選択電圧となる電圧Ｖpおよび電圧Ｖnは、各々が走査線３１２に印加されたときに、データ線２１２に印加される電圧に拘わらずＴＦＤ素子２２０がオン状態となるレベルに設定されている。このうち電圧Ｖpは電圧Ｖdと電圧Ｇndとの中心の電位（以下「基準電位」という）に対して正極性（高位側）の電圧であり、電圧Ｖnは基準電位に対して負極性（低位側）の電圧である。また、電圧Ｖpと電圧Ｖnとは基準電位からみた絶対値が互いに等しい。選択電圧たる電圧Ｖpまたは電圧Ｖnの印加によってＴＦＤ素子２２０がオン状態になると、このＴＦＤ素子２２０に接続された液晶容量１１８には当該選択電圧とデータ信号Ｘjの電圧との差分に応じた電荷が蓄積される。そして、その後に走査線３１２に非選択電圧たる電圧Ｖdまたは電圧Ｇndが印加されてＴＦＤ素子２２０がオフ状態となっても、液晶容量１１８における電荷の蓄積は維持される。こうして蓄積された電荷量に応じて液晶容量１１８における液晶の配向方向が変化する。したがって、走査線３１２に対して選択電圧が印加されたときのデータ信号Ｘjの電圧に応じて所望の階調表示が実現される。
【００２３】
次に、各走査信号Ｙiの具体的な波形を示す図２を参照しながら走査線駆動回路３５０の動作を説明する。走査線駆動回路３５０は、水平走査期間（１Ｈ）ごとに走査線３１２を第１行目から第３２０行目まで順番に１行ずつ選択する。そして、走査線駆動回路３５０は、ここで選択した走査線３１２に対し、その水平走査期間を時間軸上にて２等分した前半期間および後半期間のうち後半期間（１／２Ｈ）にて電圧Ｖpまたは電圧Ｖnを選択電圧として印加する一方、それ以外の期間においては非選択電圧たる電圧Ｖdまたは電圧Ｇndを印加する。さらに詳述すると、第ｉ行目の走査線３１２に供給される走査信号Ｙiの電圧は、第１に、ある垂直走査期間のうち第ｉ番目の水平走査期間の後半期間において選択電圧たる電圧Ｖpとなり、第２に、その水平走査期間が経過した後には電圧Ｖpの極性に対応した非選択電圧たる電圧Ｖdとなる。一方、第ｉ行目の直後に選択される第（ｉ＋１）行目の走査線３１２に供給される走査信号Ｙi+1の電圧は、第１に、第（ｉ＋１）番目の水平走査期間の後半期間において第ｉ行目の走査線３１２の選択時とは逆極性の選択電圧たる電圧Ｖnとなり、その水平走査期間が経過すると当該電圧Ｖnの極性に対応した電圧Ｇndとなる。すなわち、互いに隣接する走査線３１２の各々に対して各水平走査期間の後半期間にて互いに逆極性の選択電圧（電圧Ｖpまたは電圧Ｖn）が印加され、各水平走査期間が経過した後にはその水平走査期間にて印加されていた選択電圧と同極性の非選択電圧（電圧Ｖdまたは電圧Ｇnd）が印加されるというサイクルが繰り返される。一方、時間軸上にて相前後する水平走査期間の各々においてひとつの走査線３１２に印加される電圧の極性は逆転する。すなわち、先に例示した垂直走査期間の直後の垂直走査期間のうち第ｉ番目の水平走査期間の後半期間において、走査信号Ｙiの電圧は負極性の選択電圧たる電圧Ｖnとなり、その水平走査期間の経過後には負極性の非選択電圧たる電圧Ｖnとなる。
【００２４】
一方、第ｉ番目の走査線３１２に選択電圧が印加される水平走査期間の後半期間において、第ｊ列目の画素１１６に供給されるデータ信号Ｘjは、第ｉ行に属する第ｊ列目の画素１１６の階調に応じた時間長にわたって点灯電圧となり、その残余の期間において非点灯電圧となる。そして、この点灯電圧が印加される期間の長短に応じて各画素１１６の階調が制御される（パルス幅変調による階調表示）。ここで、点灯電圧とは、選択電圧が正極性の電圧Ｖpであれば負極性の電圧Ｇndであり、選択電圧が負極性の電圧Ｖnであれば正極性の電圧Ｖdである。本実施形態に係る電気光学パネル１００はノーマリホワイトモードを採用しているので、点灯電圧を印加する時間長が長いほど画素１１６は暗い階調となる。一方、後半期間の直前の前半期間において、データ信号Ｘjは、その後半期間とは極性を逆転させた波形となる。したがって、画素１１６の階調に拘わらず、１水平走査期間のうちデータ信号Ｘjが電圧Ｖdとなる期間の時間長と電圧Ｇndとなる期間の時間長とは等しい。この駆動方法によれば、走査線３１２が選択されていない期間において画素１１６（より厳密には液晶容量１１８）に印加される電圧実効値は総ての画素１１６にわたって等しくなる。この結果、白色を表示する画素１１６と黒色を表示する画素１１６とがＸ方向およびＹ方向にわたって交互に配置される市松模様や、１行ごとに白色および黒色が反転するゼブラパターンなどを表示する場合であっても、Ｙ方向（縦方向）のクロストークが抑制される。
【００２５】
このパルス幅変調による階調表示の方法として、各水平走査期間における後半期間の始点を含む期間と当該後半期間の終点を含む期間とに点灯電圧を印加して画素１１６を駆動する方法（以下「両縁駆動法」という）と、これとは逆に、後半期間のうち始点を含む期間と終点を含む期間とを除いた期間に点灯電圧を印加して画素１１６を駆動する方法（以下「中寄駆動法」という）とがある。図３は、両縁駆動法を示すタイミングチャートである。同図に示されるように、両縁駆動法においては、ひとつの水平走査期間の後半期間（「１／２Ｈ」と表記された期間）のうち、その始点（すなわち走査線３１２に対する選択電圧の印加が開始される時点）から時間長Ｗ1が経過するまでの期間（以下「前縁点灯期間」という）と、その後半期間の終点に対して時間長Ｗ2だけ手前の時点から当該終点までの期間（以下「後縁点灯期間」という）とにおいて点灯電圧が、その残余の期間にて非点灯電圧がそれぞれデータ線２１２に印加され、かつ、前縁点灯期間の時間長Ｗ1と後縁点灯期間の時間長Ｗ2との合計が画素１１６の階調に応じた時間長とされる。一方、図４は、中寄駆動法を示すタイミングチャートである。同図に示されるように、中寄駆動法においては、ひとつの水平走査期間の後半期間（「１／２Ｈ」と表記された期間）のうち、その始点を含む期間と終点を含む期間を除いた時間長Ｗの期間において点灯電圧が、その残余の期間（すなわち後半期間の始点を含む期間と終点を含む期間）にて非点灯電圧が印加され、かつ、時間長Ｗが画素１１６の階調に応じた時間長とされる。
【００２６】
本実施形態においては、複数の画素１１６の各々を駆動するための駆動方式が、行および列ごと、さらには垂直走査期間ごとに、両縁駆動法と中寄駆動法とで交互に切り替えられる。図５は、各画素１１６と駆動方式との関係を示す図である。同図において「両」と付記されたブロックは両縁駆動法によって駆動される画素１１６であり、「中」と付記されたブロックは中寄駆動法によって駆動される画素１１６である。図５に示されるように、ひとつの垂直走査期間Ｆaにおいては、奇数行（第ｉ行、第（ｉ＋２）行、……）に属する奇数列（第ｊ列、第（ｊ＋２）列、……）目の画素１１６が両縁駆動法にて駆動されるとともに偶数列（第（ｊ＋１）列、第（ｊ＋３）列、……）目の画素１１６が中寄駆動法にて駆動され、かつ、偶数行（第（ｉ＋１）行、第（ｉ＋３）行、……）に属する奇数列目の画素１１６が中寄駆動法にて駆動されるとともに偶数列目の画素１１６が両縁駆動法にて駆動される。一方、垂直走査期間Ｆaの直後の垂直走査期間Ｆbにおいては、各画素１１６と駆動方式との関係が逆転する。すなわち、垂直走査期間Ｆbにおいては、奇数行に属する奇数列目の画素１１６が中寄駆動法にて駆動されるとともに偶数列目の画素１１６が両縁駆動法にて駆動され、かつ、偶数行に属する奇数列目の画素１１６が両縁駆動法にて駆動されるとともに偶数列目の画素１１６が中寄駆動法にて駆動される。そして、このサイクルが多数の垂直走査期間にわたって順次に繰り返される。
【００２７】
次に、データ線駆動回路２５０の動作を規定する各種の信号について説明する。第１に、ラッチパルスＬＰは、図６に示されるように、各水平走査期間（１Ｈ）の最初に出力されるパルスである。第２に、リセット信号ＲＥＳは、図６に示されるように、各水平走査期間の前半期間の最初と後半期間の最初とに出力されるパルスである。第３に、交流駆動信号ＦＲＸは、データ線２１２側において画素１１６を交流駆動するための信号であり、各水平走査期間の後半期間にて走査線３１２に印加される選択電圧の極性とは逆極性のレベルとなる。すなわち、交流駆動信号ＦＲＸは、図６に示されるように、選択電圧として正極性の電圧Ｖpが印加される水平走査期間の後半期間においてＬレベルを維持する一方、その直前の前半期間においては後半期間でのレベルを反転したＨレベルを維持する。さらに、交流駆動信号ＦＲＸは、選択電圧として負極性の電圧Ｖnが印加される水平走査期間の後半期間においてＨレベルを維持する一方、その直前の前半期間においてはＬレベルを維持する。第４に、選択信号ＳＥＬは、各画素１１６に適用される駆動方式を規定するための信号である。この選択信号ＳＥＬは、図６および図８に示されるように、ひとつの垂直走査期間では水平走査期間ごとに論理レベルが反転し、かつ、時間的に相前後する垂直走査期間の各々において、同一の走査線３１２が選択される水平走査期間においては論理レベルが反転する。
【００２８】
第５に、階調制御パルスＧＣＰ1は、両縁駆動法において画素１１６の階調（換言するとデータ信号Ｘjのパルス幅）を制御するために利用されるパルスであり、階調制御パルスＧＣＰ2は、中寄駆動法において画素１１６の階調を制御するために利用されるパルスである。より具体的には、階調制御パルスＧＣＰ1および階調制御パルスＧＣＰ2は、各水平走査期間の前半期間および後半期間の各々において、白色および黒色を除く灰色の階調（階調データ［１１０］、［１０１］、［１００］、［０１１］、［０１０］および［００１］の何れかによって指示される灰色の階調）に対応するタイミングにて出力される。図６に示されるように、階調制御パルスＧＣＰ1または階調制御パルスＧＣＰ2のうち階調データに対応するパルスが立ち下がるタイミングにおいてデータ信号Ｘjの電圧が切り替えられ、これにより階調データに応じた階調表示が実現される。
【００２９】
さらに詳述すると、階調制御パルスＧＣＰ1は、後半期間のうち前縁点灯期間の終点にて立ち下がるパルスと後縁点灯期間の始点にて立ち下がるパルスとの対が各中間階調に対応した個数だけ配列されたパルス列である。例えば、図６に示されるパルスＰa1およびＰa1’は階調データ［００１］に対応するパルスとして互いに対をなす。このうちパルスＰa1は前縁点灯期間の終点にて立ち下がるパルスであり、パルスＰa1’は後縁点灯期間の始点にて立ち下がるパルスである。これらのパルスＰa1およびＰa1’の各々は、前縁点灯期間と後縁点灯期間との合計の時間長が階調データ［００１］の階調に応じた時間長となるように出力のタイミングが選定されている。同様に、図６における一対のパルスＰa2およびＰa2’の各々は、前縁点灯期間と後縁点灯期間との合計の時間長が階調データ［０１０］の階調に応じた時間長となるように出力のタイミングが選定されている。他のパルスについても同様である。なお、互いに対をなす各パルスは、後半期間の始点と終点との中点Ｔcを基準として時間軸上において対称となる位置に配置される。また、前半期間における階調制御パルスＧＣＰ1は後半期間と同じ波形である。
【００３０】
一方、階調制御パルスＧＣＰ2は、後半期間の始点よりも後の時点にて立ち下がるパルスと後半期間の終点よりも手前の時点にて立ち下がるパルスとの対が各中間階調に対応した個数だけ配列されたパルス列であり、互いに対をなす各パルスの立ち下がりの間隔が各中間階調に応じた時間長となるように各々の出力のタイミングが選定されている。例えば、図６に示されるパルスＰb1およびＰb1’は階調データ［１１０］に対応するパルスとして互いに対をなす。このうちパルスＰb1はデータ線２１２に点灯電圧が印加され始める時点にて立ち下がるパルスであり、パルスＰb1’はデータ線２１２に対する点灯電圧の印加が終了される時点にて立ち下がるパルスである。これらのパルスＰb1およびＰb1’の各々は、データ線２１２に点灯電圧を印加する期間が階調データ［１１０］の階調に応じた時間長となるように出力のタイミングが選定されている。同様に、図６に示される一対のパルスＰb2およびＰb2’は、各々の間隔が階調データ［１０１］の階調に応じた時間長となるように出力のタイミングが選定されている。他のパルスについても同様である。なお、互いに対をなす各パルスは、後半期間の始点と終点との中点Ｔcを基準として時間軸上において対称となる位置に配置される。また、前半期間における階調制御パルスＧＣＰ2は後半期間と同じ波形である。
【００３１】
なお、階調制御パルスＧＣＰ1および階調制御パルスＧＣＰ2の各々が出力されるタイミングは、実際には液晶の印加電圧−濃度（透過率）特性に応じて選定されるのであって、各パルスは必ずしも等間隔とはならない。また、ここでは後半期間の中点Ｔcを挟んで対称となる時点に互いに対をなすパルスが配列された構成を例示したが、中点Ｔcに対して一方の側のみにパルスが配置された構成としてもよい。例えば、後半期間（または前半期間）の前半分に合計６個のパルスが配置された信号を階調制御パルスＧＣＰ1としてもよい。この場合には、各階調制御パルスＧＣＰ1から中点Ｔcまでの時間長をカウントし、中点Ｔcからその時間長が経過した時点（すなわち階調制御パルスＧＣＰ1を中点Ｔcに対して時間軸上にて折り返した時点）が両縁駆動法における後縁点灯期間の始点として特定される。後半期間の前半分に合計６個のパルスが配置された信号を階調制御パルスＧＣＰ2とした場合にも同様であり、各階調制御パルスＧＣＰ2を中点Ｔcに対して折り返した時点が中寄駆動法における点灯電圧の印加期間の終点として特定される。
【００３２】
次に、図７を参照して、データ線駆動回路２５０の構成を説明する。同図に示されるアドレス制御回路２５２は、階調データの読み出しに用いる行アドレスＲadを生成する回路であり、当該行アドレスＲadを、各垂直走査期間の最初のタイミングにてリセットするとともに、水平走査期間ごとに供給されるラッチパルスＬＰによって歩進させる。表示データＲＡＭ（Random Access Memory）２５４は、縦３２０行×横２４０列の画素１１６に対応した記憶領域を有するデュアルポートＲＡＭであり、書込側では、制御回路４００から供給される書込アドレスＷadにて指定された番地に階調データを書き込む一方、読出側では、アドレス制御回路２５２から行アドレスＲadにより指定された番地の階調データ（ひとつの行に属する合計２４０個の画素１１６の階調データ）を一括して読み出す。
【００３３】
デコーダ２５６は、データ信号Ｘ1、Ｘ2、……、Ｘ240の各々の電圧を選択するための電圧選択信号ｅおよびｆを、表示データＲＡＭ２５４から読み出された２４０個の階調データと、制御回路４００から供給されるリセット信号ＲＥＳ、交流駆動信号ＦＲＸおよび選択信号ＳＥＬと、同じく制御回路４００から供給される階調制御パルスＧＣＰ1または階調制御パルスＧＣＰ2とに基づいて生成する回路である。電圧選択信号ｅおよびｆは、互いに排他的にアクティブレベル（Ｈレベル）となる信号である。電圧選択信号ｅがＨレベルになると電圧Ｖdの選択が指示され、電圧選択信号ｆがＨレベルになると電圧Ｇndの選択が指示される。なお、デコーダ２５６の具体的な動作については後述する。
【００３４】
セレクタ群２５８は、各データ線２１２ごとに２個のスイッチ２５８１および２５８２を有する。これらのスイッチ２５８１および２５８２の一端は電圧Ｖdおよび電圧Ｇndの供給線にそれぞれ接続される一方、その他端は共通のデータ線２１２に接続される。スイッチ２５８１および２５８２のゲートには、それぞれ電圧選択信号ｅおよびｆが供給される。そして、スイッチ２５８１およびスイッチ２５８２の各々は、ゲートに入力される電圧選択信号ｅおよびｆがＨレベルになるとオン状態になる。したがって、各データ線２１２は、スイッチ２５８１および２５８２のうちオン状態となったものを介して、電圧Ｖdおよび電圧Ｇndの何れかの供給線と接続された状態となる。
【００３５】
次に、デコーダ２５６の動作に特に注目しながら、データ線２１２に供給されるデータ信号Ｘjの波形を説明する。
まず、ある水平走査期間において画素１１６に与えられた階調データが白色を指定する［０００］である場合、デコーダ２５６は、図６に示されるように、その水平走査期間の前半期間および後半期間の各々において、交流駆動信号ＦＲＸがＨレベルであれば電圧Ｇndが選択され、交流駆動信号ＦＲＸがＬレベルであれば電圧Ｖdが選択されるように電圧選択信号ｅおよびｆを生成する。これに対し、階調データが黒色を指定する［１１１］である場合、デコーダ２５６は、図６に示されるように、その水平走査期間の前半期間および後半期間の各々において、交流駆動信号ＦＲＸがＨレベルであれば電圧Ｖdが選択され、交流駆動信号ＦＲＸがＬレベルであれば電圧Ｇndが選択されるように電圧選択信号ｅおよびｆを生成する。すなわち、これらの場合に電圧選択信号ｅおよびｆのレベルが切り替えられるタイミングは、前半期間の最初と後半期間の最初とに供給されるリセット信号ＲＥＳの立ち上がりによって規定される。
【００３６】
一方、画素１１６に与えられた階調データが、白色と黒色とを除く中間階調（階調データ［１１０］、［１０１］、［１００］、［０１１］、［０１０］および［００１］の何れかによって指示される灰色の階調）を指定する場合、デコーダ２５６は、選択信号ＳＥＬおよび交流駆動信号ＦＲＸと階調制御パルスＧＣＰ1または階調制御パルスＧＣＰ2とに基づいて階調データから電圧選択信号ｅおよびｆを生成する。この動作について詳述すると以下の通りである。
【００３７】
まず、選択信号ＳＥＬがＨレベルである水平走査期間の前半期間および後半期間の各々において、デコーダ２５６は、奇数列目のデータ線２１２が両縁駆動法によって駆動されるとともに偶数列目のデータ線２１２が中寄駆動法によって駆動されるように電圧選択信号ｅおよびｆを生成する。さらに詳述すると、デコーダ２５６は、奇数列目のデータ線２１２が両縁駆動法によって駆動されるように以下の処理を実行する。すなわち、第1に、デコーダ２５６は、図８に示されるように、各水平走査期間の前半期間および後半期間の各々の始点において、交流駆動信号ＦＲＸがＬレベルに遷移している場合（すなわちその始点よりも前からＬレベルを維持している場合およびその始点においてＬレベルに遷移した場合）には電圧Ｇndが、交流駆動信号ＦＲＸがＨレベルに遷移している場合には電圧Ｖdが、それぞれ奇数列目のデータ線２１２の電圧として選択されるように電圧選択信号ｅおよびｆを生成する。第２に、デコーダ２５６は、階調データに対応した階調制御パルスＧＣＰ1を検出する。上述したように階調制御パルスＧＣＰ1は互いに対をなすように配置されているから、前半期間および後半期間の各々において、階調データに対応した２つの階調制御パルスＧＣＰ1が順次に検出される。このうち前方の階調制御パルスＧＣＰ1を検出すると、デコーダ２５６は、その階調制御パルスＧＣＰ1が立ち下がるタイミングにおいて、交流駆動信号ＦＲＸがＨレベルであれば電圧Ｇndが、交流駆動信号ＦＲＸがＬレベルであれば電圧Ｖdが、それぞれ奇数列目のデータ線２１２の電圧として選択されるように電圧選択信号ｅおよびｆを生成する。また、階調データに対応した後方の階調制御パルスＧＣＰ1を検出すると、デコーダ２５６は、その階調制御パルスＧＣＰ1が立ち下がるタイミングにおいて、交流駆動信号ＦＲＸがＨレベルであれば電圧Ｖdが、交流駆動信号ＦＲＸがＬレベルであれば電圧Ｇndが、それぞれ奇数列目のデータ線２１２の電圧として選択されるように電圧選択信号ｅおよびｆを生成する。
【００３８】
また、奇数列目のデータ線２１２に対する駆動と並行して、デコーダ２５６は、偶数列目のデータ線２１２が中寄駆動法によって駆動されるように以下の処理を実行する。すなわち、第１に、デコーダ２５６は、図８に示されるように、各水平走査期間の前半期間および後半期間の各々の始点において、交流駆動信号ＦＲＸがＬレベルに遷移している場合には電圧Ｖdが、交流駆動信号ＦＲＸがＨレベルに遷移している場合には電圧Ｇndが、それぞれ偶数列目のデータ線２１２の電圧として選択されるように電圧選択信号ｅおよびｆを生成する。第２に、デコーダ２５６は、階調データに対応した一対の階調制御パルスＧＣＰ2の各々を順次に検出する。このうち前方の階調制御パルスＧＣＰ2を検出すると、デコーダ２５６は、その階調制御パルスＧＣＰ2が立ち下がるタイミングにおいて、交流駆動信号ＦＲＸがＨレベルであれば電圧Ｖdが、交流駆動信号ＦＲＸがＬレベルであれば電圧Ｇndが、それぞれ偶数列目のデータ線２１２の電圧として選択されるように電圧選択信号ｅおよびｆを生成する。また、階調データに対応した後方の階調制御パルスＧＣＰ2を検出すると、デコーダ２５６は、その階調制御パルスＧＣＰ2が立ち下がるタイミングにおいて、交流駆動信号ＦＲＸがＨレベルであれば電圧Ｇndが、交流駆動信号ＦＲＸがＬレベルであれば電圧Ｖdが、それぞれ偶数列目のデータ線２１２の電圧として選択されるように電圧選択信号ｅおよびｆを生成する。以上の動作により、図８に示されるように、選択信号ＳＥＬがＨレベルとなる水平走査期間においては、奇数列目の各データ線２１２が両縁駆動法によって駆動されるとともに偶数列目の各データ線２１２が中寄駆動法によって駆動されることになる。
【００３９】
一方、選択信号ＳＥＬがＬレベルとなる水平走査期間においては、各データ線２１２と駆動方式との関係が逆転し、奇数列目のデータ線２１２が中寄駆動法によって駆動されるとともに偶数列目のデータ線２１２が両縁駆動法によって駆動されることになる。上述したように選択信号ＳＥＬの論理レベルは水平走査期間ごとに反転するから、以上の動作が繰り返されることにより、図５および図８に示されるように、奇数列目の画素１１６と偶数列目の画素１１６とが異なる駆動方式によって駆動され、かつ、奇数行目の画素１１６と偶数行目の画素１１６とが異なる駆動方式によって駆動されることになる。さらに、時間的に相前後する垂直走査期間のうち同一の走査線３１２が選択される水平走査期間においては選択信号ＳＥＬの論理レベルが反転する。例えば、図８において垂直走査期間Ｆaのうち奇数行目の走査線３１２が選択される水平走査期間において選択信号ＳＥＬはＨレベルであるのに対し、この直後の垂直走査期間Ｆbのうち奇数行目の走査線３１２が選択される水平走査期間において選択信号ＳＥＬはＬレベルとなる。したがって、図５および図８に示されるように、各画素１１６の駆動方式は垂直走査期間ごとに切り替えられる。例えば、図５において第ｉ行に属する第ｊ列目の画素１１６に着目すると、垂直走査期間Ｆaにおいては両縁駆動法によって駆動されるのに対し、垂直走査期間Ｆbにおいては中寄駆動法によって駆動されることになる。
【００４０】
以上に説明したように、本実施形態においては、奇数列目のデータ線２１２と偶数列目のデータ線２１２とで駆動方式が異なる。このように１水平走査期間におけるデータ線２１２の駆動方式として両縁駆動法と中寄駆動法とを混在させることによって、横クロストークが抑制されるという効果が得られる。この効果について詳述すると以下の通りである。
【００４１】
本実施形態においては、走査線３１２がＩＴＯなどの抵抗率の大きな金属により形成されるため、各走査線３１２は第１列から第２４０列までの総てのデータ線２１２と容量的に結合する。したがって、ある水平走査期間においてデータ信号Ｘjが電圧Ｖdおよび電圧Ｇndの一方から他方に切り替えられると、図９(a)に示されるように、各走査線３１２にスパイク（微分波形ノイズ）Ｓが発生する。このスパイクＳが１水平走査期間の後半期間において走査線３１２に発生すると選択電圧が変動する。この結果、液晶容量１１８に印加される電圧実効値に誤差が生じ、各画素１１６の階調が本来の階調とは異なってしまうのである。この階調の誤差は行方向に発生することから、上述した縦方向のクロストークと区別する意味で特に横クロストークと呼ばれる。
【００４２】
ここで、走査線３１２に現れるスパイクの大きさは、同時に電圧が切り替えられるデータ線２１２の本数に応じて異なる。すなわち、同時に電圧が切り替えられるデータ線２１２の本数が多いほどスパイクが大きく、このため画素１１６への電圧実効値（階調）に与える影響も大きい。したがって、例えばデータ信号Ｘjの電圧を前縁駆動法および後縁駆動法の一方のみによって切り替えるとすれば、ひとつの行に属する総ての画素１１６に同一の階調データが与えられたとき、図９(a)に示されるように、これらの画素１１６に対応する２４０本のデータ線２１２の電圧が一斉に切り替えられ、走査線３１２に発生するスパイクが著しく大きくなって表示品位が顕著に低下しかねない。
【００４３】
これに対し、本実施形態においては、仮にひとつの行に属する総ての画素１１６に同一の階調データが与えられたとしても、一部のデータ線２１２（奇数列のデータ線２１２）については両縁駆動法によるタイミングにて電圧が切り替えられる一方、他のデータ線２１２（偶数列のデータ線２１２）については中寄駆動法によるタイミングにて電圧が切り替えられる。したがって、図９(b)に示されるように、走査線３１２に選択電圧が印加される期間にスパイクＳが発生するタイミングは時間軸上において分散される。しかも、同一のタイミングで電圧が切り替えられるデータ線２１２は１２０本となるからスパイクＳの大きさも低減される。このように、本実施形態によれば、データ信号Ｘjの電圧の切り替えに伴なうスパイクＳによって生じる選択電圧の変動（ひいては画素１１６に印加される電圧実行値の変動）を抑え、これにより横クロストークを有効に抑制することができるのである。
【００４４】
ところで、スパイクに起因した横クロストークを抑えるための構成としては、各画素１１６の駆動方式を両縁駆動法および中寄駆動法のいずれか一方のみに固定した構成も採用され得る。すなわち、複数の画素１１６が２つのグループに分けられ、このうち第１のグループに属する画素１１６は総ての垂直走査期間にわたって両縁駆動法により駆動される一方、第２のグループに属する画素１１６は総ての垂直走査期間にわたって中寄駆動法により駆動されるといった具合である。しかしながら、この構成のもとでは各駆動方式における電圧実効値の相違に起因して表示品位が低下するという問題が生じ得る。この問題点について詳述すると以下の通りである。
【００４５】
本願発明者は、両縁駆動法によって画素１１６に印加される電圧実効値と中寄駆動法によって画素１１６に印加される電圧実効値とは必ずしも一致しないという知見を得るに至った。したがって、総ての垂直走査期間にわたって各画素１１６の駆動方式が固定されているとすれば、仮に総ての画素１１６に対して同一の階調が指示されたとしても各画素１１６に実際に印加される電圧実効値は行方向または列方向に隣り合う画素１１６で相違し、表示品位を低下させる原因となり得る。これに対し、本実施形態においては、各画素１１６の駆動方式が垂直走査期間ごとに前縁駆動および後縁駆動の一方から他方に切り替えられるから、たとえ各垂直走査期間において前縁駆動と後縁駆動とで画素１１６への電圧実効値が異なるとしても、複数の垂直走査期間についてみれば電圧実効値の差異が均等化されることとなる。したがって、本実施形態によれば、前縁駆動法と後縁駆動法とを混在させて横クロストークの発生を抑えつつ、前縁駆動法と後縁駆動法とにおける電圧実効値の相違を補償して表示品位の低下を抑えることができる。
【００４６】
＜Ｂ：第２実施形態＞
次に、本発明の第２実施形態に係る電気光学装置１０について説明する。なお、本実施形態に係る電気光学装置１０は、各画素１１６を駆動するための方式を除いて第１実施形態と同様の構成となっている。そこで、本実施形態に係る要素のうち第１実施形態と同様の作用を営むものについては共通の符号を付してその詳細な説明を適宜に省略する。
【００４７】
第１実施形態においては、両縁駆動法と中寄駆動法とを組み合わせて各画素１１６を駆動する構成を例示した。これに対し、本実施形態の電気光学装置１０においては、第１実施形態における両縁駆動法の代わりに前縁駆動法を採用し、前縁駆動法と中寄駆動法との組合せによって各画素１１６が駆動される構成となっている。この前縁駆動法は、各水平走査期間における後半期間の始めに点灯電圧を印加して画素１１６を駆動する方法である。すなわち、前縁駆動法においては、図１０に示されるように、各水平走査期間の後半期間のうち、その始点（すなわち走査線３１２に対する選択電圧の印加が開始される時点）から画素１１６の階調に応じた時間長Ｗが経過するまでの期間にて点灯電圧が、その残余の期間にて非点灯電圧が、それぞれデータ線２１２に印加される。
【００４８】
図１１に示されるように、本実施形態における階調制御パルスＧＣＰ1は前縁駆動法に対応した波形とされる。すなわち、この階調制御パルスＧＣＰ1は、各水平走査期間の前半期間および後半期間の各々の始点から各中間階調に対応する時間長が経過した時点にて立ち下がるパルスである。複数の階調制御パルスＧＣＰ1のうち階調データに対応した階調制御パルスＧＣＰ1が立ち下がるタイミングにてデータ信号Ｘjの電圧が切り替えられることにより、後半期間の始点から階調データに応じた時間長が経過するまでの期間にわたって点灯電圧が印加され、これにより階調データに応じた階調表示が実現される。
【００４９】
図１２は、本実施形態において各画素１１６に適用される駆動方式を例示する図であり、第１実施形態の図５に対応している。図１２において「前」と付記されたブロックは、前縁駆動される画素１１６である。同図に示されるように、本実施形態においても第１実施形態と同様に、各画素１１６に適用される駆動方式が、行および列ごと、さらには垂直走査期間ごとに、前縁駆動法と中寄駆動法とで交互に切り替えられる。すなわち、ある垂直走査期間Ｆaにおいては、奇数行に属する奇数列目の画素１１６が前縁駆動法によって駆動されるとともに偶数列目の画素１１６が中寄駆動法によって駆動され、偶数行に属する奇数列目の画素１１６が中寄駆動法によって駆動されるとともに偶数列目の画素１１６が前縁駆動法によって駆動される。一方、その直後の垂直走査期間Ｆbにおいては、各画素１１６に適用される駆動方式が前縁駆動法および中寄駆動法の一方から他方に変更される。この実施形態によっても、第１実施形態と同様の効果が奏される。
【００５０】
＜Ｃ：第３実施形態＞
次に、本発明の第３実施形態に係る電気光学装置１０について説明する。なお、本実施形態に係る電気光学装置１０は、各画素１１６を駆動するための方式を除いて第１実施形態と同様の構成となっている。そこで、本実施形態に係る要素のうち第１実施形態と同様の作用を営むものについては共通の符号を付してその詳細な説明を適宜に省略する。
【００５１】
第１実施形態においては、両縁駆動法と中寄駆動法とを組み合わせて各画素１１６を駆動する構成を例示した。これに対し、本実施形態の電気光学装置１０においては、第１実施形態における両縁駆動法の代わりに後縁駆動法を採用し、後縁駆動法と中寄駆動法との組合せによって各画素１１６が駆動される構成となっている。この後縁駆動法は、各水平走査期間における後半期間の終わりに点灯電圧を印加して画素１１６を駆動する方法である。すなわち、後縁駆動法においては、図１３に示されるように、各水平走査期間の後半期間のうち、その終点（すなわち走査線３１２に対する選択電圧の印加が終了する時点）に対して画素１１６の階調に応じた時間長Ｗだけ手前の時点から当該終点までの期間にて点灯電圧が、その残余の期間にて非点灯電圧が、それぞれデータ線２１２に印加される。
【００５２】
図１４に示されるように、本実施形態における階調制御パルスＧＣＰ1は後縁駆動法に対応した波形となっている。すなわち、この階調制御パルスＧＣＰ1は、各水平走査期間の前半期間および後半期間の各々の終点から各中間階調に対応する時間長だけ手前の時点にて立ち下がるパルスである。これらの階調制御パルスＧＣＰ1のうち階調データに対応した階調制御パルスＧＣＰ1が立ち下がるタイミングにてデータ信号Ｘjの電圧が切り替えられることにより、後半期間の終点に対して階調データに応じた時間長だけ手間の時点から当該終点までの期間にわたって点灯電圧が印加され、これにより階調データに応じた階調表示が実現される。
【００５３】
図１５は、本実施形態において各画素１１６に適用される駆動方式を例示する図である。同図において「後」と付記されたブロックは後縁駆動法によって駆動される画素１１６を示している。図１５に示されるように、本実施形態においても、各画素１１６に適用される駆動方式が、行および列ごと、さらには垂直走査期間ごとに、後縁駆動法と中寄駆動法とで交互に切り替えられる。したがって、本実施形態においても第１実施形態と同様の効果が奏される。
【００５４】
＜Ｄ：第４実施形態＞
次に、本発明の第４実施形態に係る電気光学装置１０について説明する。なお、本実施形態に係る電気光学装置１０は、各画素１１６を駆動するための方式を除いて第１実施形態と同様の構成となっている。そこで、本実施形態に係る要素のうち第１実施形態と同様の作用を営むものについては共通の符号を付してその詳細な説明を適宜に省略する。
【００５５】
第２実施形態においては、前縁駆動法と中寄駆動法とを組み合わせて各画素１１６を駆動する構成を例示した。これに対し、本実施形態の電気光学装置１０においては、中寄駆動法の代わりに両縁駆動法を採用し、前縁駆動法と両縁駆動法との組合せによって各画素１１６が駆動される構成となっている。図１６は、本実施形態において各画素１１６に適用される駆動方式を例示する図である。同図に示されるように、本実施形態においては、各画素１１６に適用される駆動方式が、行および列ごと、さらには垂直走査期間ごとに、前縁駆動法と両縁駆動法とで交互に切り替えられる。本実施形態によっても第１実施形態と同様の効果が奏される。
【００５６】
＜Ｅ：第５実施形態＞
次に、本発明の第５実施形態に係る電気光学装置１０について説明する。なお、本実施形態に係る電気光学装置１０は、各画素１１６を駆動するための方式を除いて第１実施形態と同様の構成となっている。そこで、本実施形態に係る要素のうち第１実施形態と同様の作用を営むものについては共通の符号を付してその詳細な説明を適宜に省略する。
【００５７】
第３実施形態においては、後縁駆動法と中寄駆動法とを組み合わせて各画素１１６を駆動する構成を例示した。これに対し、本実施形態の電気光学装置１０においては、中寄駆動法の代わりに両縁駆動法を採用し、後縁駆動法と両縁駆動法との組合せによって各画素１１６が駆動される構成となっている。図１７は、本実施形態において各画素１１６に適用される駆動方式を例示する図である。同図に示されるように、本実施形態においては、各画素１１６に適用される駆動方式が、行および列ごと、さらには垂直走査期間ごとに、後縁駆動法と両縁駆動法とで交互に切り替えられる。したがって、本実施形態においても第１実施形態と同様の効果が奏される。
【００５８】
＜Ｆ：変形例＞
以上に説明した実施形態はあくまでも例示である。したがって、この形態に対しては本発明の趣旨から逸脱しない範囲で種々の変形を加えることができる。具体的には、以下のような変形例が考えられる。
【００５９】
（１）各実施形態においては２種類の駆動方式を組み合わせて画素１１６を駆動する構成を例示したが、３種類以上の駆動方式を組み合わせて画素１１６を駆動する構成も採用される。例えば、各実施形態にて例示した４種類の駆動方式（両縁駆動法、中寄駆動法、前縁駆動法および後縁駆動法）を組み合わせてもよい。より具体的には、図１８に示されるように、奇数行に属する奇数列目の各画素１１６と偶数行に属する偶数列目の各画素１１６とを、両縁駆動法および中寄駆動法を垂直走査期間ごとに交互に適用して駆動する一方、奇数行に属する偶数列目の各画素１１６と偶数行に属する奇数列目の各画素１１６とを、前縁駆動法および後縁駆動法を垂直走査期間ごとに交互に適用して駆動するといった構成が採用される。あるいは、各画素１１６について４種類の駆動方式を水平走査期間ごとに順次に切り替えて適用する構成としてもよい。図１９においては、ひとつの画素１１６について両縁駆動法、後縁駆動法、中寄駆動法および前縁駆動法が垂直走査期間ごとにこの順番に適用される構成が例示されている。すなわち、第ｉ行に属する第ｊ列目の画素１１６については、ある垂直走査期間Ｆaにて両縁駆動法によって駆動され、これに続く垂直走査期間Ｆbにて後縁駆動法によって駆動され、その次の垂直走査期間Ｆcにて中寄駆動法によって駆動され、さらに続く垂直走査期間Ｆdにて前縁駆動法によって駆動されるというサイクルが繰り返される。これらの構成においては、各駆動方式に対応する４種類の階調制御パルスがデコーダ２５６に入力され、これらのうち各画素１１６について適用されるべき駆動方式に対応した階調制御パルスに基づいてデータ信号Ｘjが生成されることになる。本変形例によっても各実施形態と同様の効果が得られる。
【００６０】
（２）各実施形態においては奇数列目のデータ線２１２と偶数列目のデータ線２１２とで駆動方式を異ならせる構成を例示したが、各駆動方式が適用されるデータ線２１２の区分の仕方はこれに限られない。例えば、複数のデータ線２１２を各々が配列された順番に特定の本数ごとに区分し、このうち奇数番目の区分に属するデータ線２１２と偶数番目の区分に属するデータ線２１２とで駆動方式を異ならせる構成としてもよい。このように、本発明においては、複数のデータ線２１２が複数のグループに区分され、このうちひとつのグループ（第１群）に属するデータ線２１２と他のグループ（第２群）に属するデータ線２１２とが異なる駆動方式により駆動される構成であればよい。
【００６１】
（３）各実施形態においては、各画素１１６の駆動方式を垂直走査期間ごとに切り替える構成を例示したが、複数の垂直走査期間ごとに駆動方式を切り替えるようにしてもよい。あるいは、各駆動方式を適用したときに各画素１１６に印加される電圧実効値の相違が問題とならない場合や相違が生じない場合には、各画素１１６に適用される駆動方式を総ての垂直走査期間にわたって固定してもよい。例えば、第ｉ行に属する第ｊ列目の画素１１６は常に両縁駆動法によって駆動される一方、同行に属する第（ｊ＋１）列目の画素１１６は常に中寄駆動法によって駆動されるといった具合である。
【００６２】
（４）各実施形態においては、１水平走査期間を前半期間と後半期間とに分割し、このうち後半期間において走査線３１２に選択電圧を印加する構成を例示したが、これに代えて、前半期間に選択電圧を印加する構成も採用される。また、１水平走査期間を前半期間と後半期間とに分割することなく、１水平走査期間の始点から終点にわたって走査線３１２に選択電圧を印加する構成も採用される。
【００６３】
（５）各実施形態においては能動素子としてＴＦＤ素子２２０を用いたアクティブマトリクス型の電気光学パネル１００を例示したが、能動素子を用いることなく、帯状電極の交差によって液晶を挟持したパッシブマトリクス型の電気光学装置にも本発明は適用され得る。また、実施形態では、ＴＦＤ素子２２０がデータ線２１２に接続され、液晶容量１１８が走査線３１２に接続された構成を例示したが、これとは逆に、ＴＦＤ素子２２０が走査線３１２に、液晶容量１１８がデータ線２１２にそれぞれ接続された構成としてもよい。さらに、ＴＦＤ素子２２０は、二端子型スイッチング素子の一例に過ぎず、ＺｎＯ（酸化亜鉛）バリスタや、ＭＳＩ（Metal Semi-Insulator）などを用いた素子、あるいは、これらの素子を２つ逆向きに直列接続または並列接続したものを二端子型スイッチング素子として用いることも可能である。
【００６４】
（６）各実施形態においては、データ線駆動回路２５０、走査線駆動回路３５０、制御回路４００および電圧生成回路５００を別個の回路として例示したが、これらの回路の一部または全部をひとつの集積回路に搭載してもよい。また、電気光学装置１０が表示する階調数は「８」に限れられず、その他の任意の階調数（例えば４、１６、３２、６４階調など）が採用され得る。さらに、各々がＲ（赤）、Ｇ（緑）、Ｂ（青）の各色に割り当てられた３つの画素１１６によって１ドットを構成して、カラー画像を表示する構成としてもよい。また、各実施形態においてはノーマリホワイトモードの電気光学パネル１００を例示したが、液晶に電圧が印加されていないときに黒色を表示するノーマリブラックモードの電気光学パネル１００にも本発明は適用され得る。
【００６５】
（７）各実施形態では、ＴＮ型の液晶を用いた液晶装置を例示したが、ＳＴＮ（Super Twisted Nematic）型の液晶や、分子の長軸方向と短軸方向とで可視光の吸収に異方性を有する染料（ゲスト）を一定の分子配列の液晶（ホスト）に溶解して、染料分子を液晶分子と平行に配列させたゲストホスト型などの液晶を用いてもよい。加えて、電圧無印加時には液晶分子が両基板に対して垂直方向に配列する一方、電圧印加時には液晶分子が両基板に対して水平方向に配列する、という垂直配向（ホメオトロピック配向）の構成としてもよいし、電圧無印加時には液晶分子が両基板に対して水平方向に配列する一方、電圧印加時には液晶分子が両基板に対して垂直方向に配列する、という平行（水平）配向（ホモジニアス配向）の構成としてもよい。このように、本発明では、液晶や配向方式として種々のものを用いることが可能である。
【００６６】
（８）本発明は、液晶装置以外の電気光学装置にも適用される。すなわち、電流の供給や電圧の印加といった電気的な作用を輝度や透過率の変化といった光学的な作用に変換する電気光学物質を用いて画像を表示する装置であれば本発明は適用され得る。例えば、ＥＬ（Electro Luminescent）を電気光学物質として用いたＥＬ表示装置や、着色された液体と当該液体に分散された白色の粒子とを含むマイクロカプセルを電気光学物質として用いた電気泳動表示装置、極性が相違する領域ごとに異なる色に塗り分けられたツイストボールを電気光学物質として用いたツイストボールディスプレイ、黒色トナーを電気光学物質として用いたトナーディスプレイ、あるいはヘリウムやネオンなどの高圧ガスを電気光学物質として用いたプラズマディスプレイパネル（ＰＤＰ）など各種の電気光学装置に本発明が適用される。
【００６７】
＜Ｇ：電子機器＞
次に、本発明に係る電気光学装置を表示装置として備える電子機器について説明する。図２０は、各実施形態に係る電気光学装置を有する携帯電話機の構成を示す斜視図である。この図に示されるように、携帯電話機１２００は、利用者により操作される複数の操作ボタン１２０２、他の端末装置から受信した音声を出力する受話口１２０４、および他の端末装置に送信される音声を入力する送話口１２０６のほかに、各種の画像を表示する電気光学装置１０を有する。
【００６８】
なお、本発明に係る電気光学装置が利用され得る電子機器としては、図２０に示される携帯電話機のほかにも、ノート型のパーソナルコンピュータや、液晶テレビ、ビューファインダ型（またはモニタ直視型）のビデオレコーダ、デジタルカメラ、カーナビゲーション装置、ページャ、電子手帳、電卓、ワードプロセッサ、ワークステーション、テレビ電話、ＰＯＳ端末、タッチパネルを備えた機器等などが挙げられる。何れの電子機器においても、横クロストークを抑えた高品位の表示が簡易な構成によって実現される。
【図面の簡単な説明】
【００６９】
【図１】本発明の第１実施形態に係る電気光学装置の構成を示すブロック図である。
【図２】走査線駆動回路の動作を説明するためのタイミングチャートである。
【図３】両縁駆動法を説明するためのタイミングチャートである。
【図４】中寄駆動法を説明するためのタイミングチャートである。
【図５】両縁駆動法および中寄駆動法と各画素の配列との関係を示す図である。
【図６】データ線駆動回路の動作を説明するためのタイミングチャートである。
【図７】データ線駆動回路の構成を示すブロック図である。
【図８】電気光学装置の動作を説明するためのタイミングチャートである。
【図９（ａ）】総てのデータ線を同じ駆動方式にて駆動したときの問題点を説明するための図である。
【図９（ｂ）】本実施形態の効果を説明するための図である。
【図１０】前縁駆動法を説明するためのタイミングチャートである。
【図１１】データ線駆動回路の動作を説明するためのタイミングチャートである。
【図１２】前縁駆動法および中寄駆動法と各画素の配列との関係を示す図である。
【図１３】後縁駆動法を説明するためのタイミングチャートである。
【図１４】データ線駆動回路の動作を説明するためのタイミングチャートである。
【図１５】後縁駆動法および中寄駆動法と各画素の配列との関係を示す図である。
【図１６】本発明の第４実施形態における前縁駆動法および両縁駆動法と各画素の配列との関係を示す図である。
【図１７】本発明の第５実施形態における後縁駆動法および両縁駆動法と各画素の配列との関係を示す図である。
【図１８】各実施形態の変形例における各画素の駆動方式を例示する図である。
【図１９】各実施形態の変形例における各画素の駆動方式を例示する図である。
【図２０】本発明に係る電子機器の一例たる携帯電話機の構成を示す斜視図である。
【符号の説明】
【００７０】
１０……電気光学装置、１００…電気光学パネル、１１６…画素、２１２…データ線、２５０…データ線駆動回路、２５６……デコーダ、３１２…走査線、３５０…走査線駆動回路、４００…制御回路、５００…電圧生成回路。
【図１】
2006098813.tif 000003
【図２】
2006098813.tif 000004
【図３】
2006098813.tif 000005
【図４】
2006098813.tif 000006
【図５】
2006098813.tif 000007
【図６】
2006098813.tif 000008
【図７】
2006098813.tif 000009
【図８】
2006098813.tif 000010
【図９（ａ）】
2006098813.tif 000011
【図９（ｂ）】
2006098813.tif 000012
【図１０】
2006098813.tif 000013
【図１１】
2006098813.tif 000014
【図１２】
2006098813.tif 000015
【図１３】
2006098813.tif 000016
【図１４】
2006098813.tif 000017
【図１５】
2006098813.tif 000018
【図１６】
2006098813.tif 000019
【図１７】
2006098813.tif 000020
【図１８】
2006098813.tif 000021
【図１９】
2006098813.tif 000022
【図２０】
2006098813.tif 000023